(57)【要約】      （修正有）【要  約】【課題】従来の遺影写真は、個人の写真をフレーム体に挟んで仏壇等の上に掲示したり、或いは小型の物は仏壇内に置いたりして、葬儀や法要時に、或いは日常の参拝時に故人を偲んでいる。また、近年の葬儀や法要時において、祭壇に故人の大きな遺影写真を飾っているが、通常の印画紙で大きく引き延ばした写真の他に、発色の鮮やかなフィルムに遺影写真をプリントして後方から光を照射して華やかに見えるようにしているが、使用する装置は大がかりであって、一般の家庭では使用不可能であった。【解決手段】遺影写真を挟むフレーム体内部に印刷した遺影写真に代え、予め記録媒体に記録した故人の静止画や動画を再生装置からフレーム体内部に設けた表示部に再生して、故人の姿を見ながら日常の参拝を行える新規な再生装置一体型遺影写真用額縁及び再生装置一体型遺影写真表示システムを提供する。【選択図】図１
2006034583.tif 000002
【特許請求の範囲】
【請求項１】
フレーム体の内部に映像表示部を有する遺影写真用額縁であって、
フレーム体と、前記フレーム体内部の表示部と、該表示部に遺影を送信する再生装置と、該再生装置に遺影等の記録を読みとらせる記録媒体と、前記再生装置を操作する操作装置と、必要において電源部とから構成され、前記フレーム体端部は再生装置端部とヒンジ部を介して前後に開閉可能な折り畳み型であることを特徴とする再生装置一体型遺影写真用額縁。
【請求項２】
該フレーム体と、フレーム体内部の映像表示部と、該映像表示部に遺影を送信する再生部とが装置本体に一体的に設けられた遺影写真用額縁であって、
前記装置本体には、再生装置に遺影等の記録を読みとらせる記録媒体挿入部と、
ＤＶＤ装置と接続可能なＤＶＤ端子挿入孔と
前記再生装置を操作する操作装置と、
電源部と接続可能なアダプター挿入孔と、
から構成されることを特徴とする再生装置一体型遺影写真用額縁。
【請求項３】
フレーム体を周囲に設けた映像表示部を有する遺影写真用額縁に静止画や動画を表示する遺影写真表示システムにおいて、
該システムは、フレーム体と、前記フレーム体内部の表示部と、該表示部に遺影を送付する再生装置と、該再生装置に遺影等の記録を読みとらせる記録媒体と、前記再生装置を操作する操作装置と、必要において電源部とから構成され、
該再生装置は、故人の静止画や動画を予め記録された記録媒体を読みとる読取り手段と、
前記再生装置を操作する操作装置により必要画面を前記表示部に表示させる表示手段と、
を有することを特徴とする再生装置一体型遺影写真表示システム。
【請求項４】
前記記録媒体は、小型ＤＶＤ、小型ＣＤ、ノート型パソコン用スロットカード、カメラ用スマートメディアカードの少なくとも１種以上であることを特徴とする請求項２記載の再生装置一体型遺影写真表示システム。
【発明の詳細な説明】
【技術分野】
【０００１】
本発明は、葬儀時または葬儀後に使用できる再生装置一体型遺影写真用額縁及び再生装置一体型遺影写真表示システムに関し、さらに詳しくは、移動可能な小型の再生装置一体型遺影写真用額縁として用い、また額縁フレーム体内部の表示部に小型ＤＶＤやカメラ用スマートメディアカード等の記録媒体からの個人の遺影を動画、静止画として思い出の遺影を操作手段で表示可能とする再生装置一体型遺影写真表示システムに関するものである。
【背景技術】
【０００２】
従来の遺影写真は、個人の写真をフレーム体に挟んで仏壇等の上に掲示したり、或いは小型の物は仏壇内に置いたりして、葬儀や法要時に、或いは日常の参拝時に故人を偲んでいる。
【０００３】
近年の葬儀や法要時において、祭壇に故人の大きな遺影写真を飾っているが、通常の印画紙で大きく引き延ばした写真の他に、発色の鮮やかなフィルムに遺影写真をプリントして後方から光を照射して華やかに見えるようにしている。
【０００４】
さらに遺影を葬儀場等の大スクリーンで表示して、参列者に個人のありし姿を表示する手段としては特開２０００−１２３１５５号「遺影写真システム」に開示するように、イメージスキャナに写真映像を読み取らせ、次いでパソコン等で修正を加えて映像表示部に表示する手段が知られている。
【０００５】
また特開２００２−３６０４１２号「遺影写真の表示方法、遺影写真システム、及び遺影写真の処理方法」には、遺影写真をネットワークを介して処理コンピュータに送信し、当該処理コンピュータでは、受信した遺影写真データを編集して、複数の遺影写真が所定の時間で切り替わり表示される遺影スライドショーデータを作成して遺影写真データの送り手側に返信し、返信された遺影スライドショーデータを葬儀又は法要の場において画面表示する表示方法が開示されている。
【特許文献１】特開２０００−１２３１５５号
【特許文献２】特開２００２−３６０４１２号
【発明の開示】
【発明が解決しようとする課題】
【０００６】
上記特開２０００−１２３１５５号「遺影写真システム」では、スクリーンの設置場所に広い敷地が必要であり、又、静止画を表示するのみであるため、葬儀時や法要時のように多くの参列者が集まる場所においては効果を有するシステムであるが、一般個人の家での葬儀には向かないシステムであった。
【０００７】
同様に、特開２００２−３６０４１２号に示す遺影写真の表示方法としても、遺影写真をコンピュータ処理して操作するために、処理操作になれた専門家を必要としていたため、家庭内における簡易な遺影表示には向かない表示方法であった。
【課題を解決するための手段】
【０００８】
本発明者は係る課題を解決するために鋭意研究したところ、遺影写真を挟むフレーム体内部に印刷した遺影写真に代え、予め記録媒体に記録した故人の静止画や動画を再生装置からフレーム体内部に設けた表示部に再生して、故人の姿を見ながら日常の参拝を行える新規な再生装置一体型遺影写真用額縁及び再生装置一体型遺影写真表示システムを提供できた。
【０００９】
すなわち本発明の第一は、フレーム体の内部に映像表示部を有する遺影写真用額縁であって、
フレーム体と、前記フレーム体内部の表示部と、該表示部に遺影を送信する再生装置と、該再生装置に遺影等の記録を読みとらせる記録媒体と、前記再生装置を操作する操作装置と、必要において電源部とから構成され、前記フレーム体端部は再生装置端部とヒンジ部を介して前後に開閉可能な折り畳み型であることを特徴とする再生装置一体型遺影写真用額縁である。
【００１０】
本発明の第二は、該フレーム体と、フレーム体内部の映像表示部と、該映像表示部に遺影を送信する再生部とが装置本体に一体的に設けられた遺影写真用額縁であって、
前記装置本体には、再生装置に遺影等の記録を読みとらせる記録媒体挿入部と、
ＤＶＤ装置と接続可能なＤＶＤ端子挿入孔と
前記再生装置を操作する操作装置と、
電源部と接続可能なアダプター挿入孔と、
から構成されることを特徴とする再生装置一体型遺影写真用額縁である。
【００１１】
本発明の第三は、フレーム体を周囲に設けた映像表示部を有する遺影写真用額縁に静止画や動画を表示する遺影写真表示システムにおいて、
該システムは、フレーム体と、前記フレーム体内部の表示部と、該表示部に遺影を送付する再生装置と、該再生装置に遺影等の記録を読みとらせる記録媒体と、前記再生装置を操作する操作装置と、必要において電源部とから構成され、
該再生装置は、故人の静止画や動画を予め記録された記録媒体を読みとる読取り手段と、
前記再生装置を操作する操作装置により必要画面を前記表示部に表示させる表示手段と、
を有することを特徴とする再生装置一体型遺影写真表示システムである。
【００１２】
本発明の第四は、前記記録媒体は、小型ＤＶＤ、小型ＣＤ、ノート型パソコン用スロットカード、カメラ用スマートメディアカードの少なくとも１種以上であることを特徴とする請求項２記載の再生装置一体型遺影写真表示システムである。
【発明の効果】
【００１３】
本発明の再生装置一体型遺影写真用額縁は小型な再生装置と一体化した軽量な額縁であるため、老人のように腕力が弱っている人でも移動が容易にできるようになっている。
【００１４】
再生装置で再生できる記録媒体としては小型ＤＶＤ等を用いるために、一般写真のように静止画のみでなく、動画も記録できるほかに音声も合わせて記録できるようになっている。
【００１５】
記録媒体を再送装置に入れた後は、テレビ操作と同様なボタン操作手段等により好みの遺影画面を表示部に表示することができるために、多くの使用者にも簡易に操作が可能となっている。
【発明を実施するための最良の形態】
【００１６】
以下図面を基に本発明の詳細を説明するが、本発明の範囲はこれらに限定されるものではない。
【実施例１】
【００１７】
図１は、本発明装置に係る再生装置一体型遺影写真用額縁を示す斜視図である。本発明の移動可能な折り畳み型の額縁１は、フレーム体２と、前記フレーム体内部の表示部３と、該表示部３に遺影を送信する再生装置４と、該再生装置に遺影等の記録を読みとらせる記録媒体５と、電源部７とから構成されている。
【００１８】
この場合、本発明では表示部として液晶表示部を採用しているが、再生装置からの映像を表示できるものならば、これに限定されない。
【００１９】
本発明のシステムとしては、フレーム体２と、前記フレーム体２内部の表示部３と、該表示部３に遺影を送付する再生装置４と、該再生装置４に遺影等の記録を読みとらせる記録媒体５と、前記再生装置を操作する操作装置６と、電源部７とから構成されており、該再生装置４は、故人の静止画や動画を予め記録された記録媒体５を読みとる読取り手段と、前記再生装置４を操作する操作装置６により必要画面を前記表示部に表示させる表示手段とを有して、記録媒体に記録された故人の静止画や動画を音声付きで再生装置で再生できるように、操作装置６のボタンスイッチ操作で画面変更可能としている。
【００２０】
本システムで用いる記記録媒体５としては、小型ＤＶＤ、小型ＣＤ、ノート型パソコン用スロットカード、カメラ用スマートメディアカードの少なくとも１種であり、サイズができるだけ小さく、且つ軽量のものが好ましい。
【００２１】
図１及び図２において表示部２を外側に向けてあるが、向きを変えて表示部２を内側に向けて再生装置４と向き合わせても良い。このタイプは、持ち運びに好ましいものである。  
【００２２】
表示部を含むフレーム対２と再生装置４端部とは、ヒンジ部８を介して前後に開閉可能な折り畳み型としているが、開閉具としては当然にヒンジ部８以外のものであっても構わない。
【実施例２】
【００２３】
図３は、別な形状の再生装置一体型遺影写真用額縁を示す斜視図である。表示画面である表示部１１は、再生装置本体１０の表面の斜め部に設けられて視認し易いように設計しているが、テレビ画面のように本体に垂直であっても構わない。
【００２４】
再生装置本体１０の側面には、操作のためのオンオフスイッチ１２、選択ボタン１３、決定ボタン１４、メニューボタン１５、カード類挿入口１６、アダプター挿入孔１７、ＤＶＤ端子挿入孔１８等が設けられている。
【００２５】
上記再生装置は実施例１と同様に、故人の静止画や動画を予め記録された記録媒体５を読みとる読取り手段と、前記再生装置４を操作する操作装置６により必要画面を前記表示部に表示させる表示手段とを有して、記録媒体に記録された故人の静止画や動画を音声付きで再生装置で再生できるように、再生装置本体脇の各ボタンスイッチ１３、１４、１５操作で画面変更可能としている。
【００２６】
電源にアダプター２０を差し、アダプター端子２１を再生装置本体１０のアダプター挿入孔１７に差込んでから上記オンオフスイッチ１２を入れると、表示部１１の表示画面２３は図４に示すような画面が表れるので、選択ボタン１３を押すと画面メニューが順次移動するように設定している。
【００２７】
画面表示は、図４〜図７に示されるようなメニュー画面が表示されるが、例えば図４に示す画面表示を選択すると、アルバムや動画の欄から予め登録された項目の写真やビデオ等が選択できるようになっている。
【００２８】
あるいは特にお年寄りには、図５や図６に示すように選択メニューを少なくして、操作を容易にできるように設定し、例えば静止画を選択すると１枚の固定写真が表示されるようになっている。
【００２９】
また動画を選択した場合には音声が出るように設定され、静止画の場合は予め登録してある音楽（ＢＧＭ）を選択できるようにし、また故人本人の声を生前録音したものを選択できるようにしている。
【図面の簡単な説明】
【００３０】
【図１】本発明の再生装置一体型遺影写真用額縁を示す斜視図である。
【図２】本発明システムを説明する概略図である。
【図３】実施例２における別な形態の再生装置一体型遺影写真用額縁を示す斜視図である。
【図４】図３における画面表示の説明図である。
【図５】別な画面表示の説明図である。
【図６】別な画面表示の説明図である。
【図７】別な画面表示の説明図である。
【符号の説明】
【００３１】
１・・・額縁
２・・・フレーム体
３・・・表示部
４・・・再生装置
５・・・記録媒体
６・・・操作装置
７・・・電源部
８・・・ヒンジ部
９・・・記録媒体挿入部
１０・・再生装置本体
１１・・表示部
１２・・オンオフスイッチ
１３・・選択ボタン
１４・・決定ボタン
１５・・メニューボタン
１６・・カード挿入口
１７・・アダプター挿入孔
１８・・ＤＶＤ端子挿入孔
１９・・ＤＶＤ
２０・・ＤＶＤ端子
２１・・アダプター
２２・・アダプター端子
２３・・表示画面
【図１】
2006034583.tif 000003
【図２】
2006034583.tif 000004
【図３】
2006034583.tif 000005
【図４】
2006034583.tif 000006
【図５】
2006034583.tif 000007
【図６】
2006034583.tif 000008
【図７】
2006034583.tif 000009